【事件の表示】
　特許第３０４３４８５号「透過型スクリーン及びそれを用いた背面投写型画像ディスプレイ装置」の請求項１ないし７に係る特許に対する特許異議の申立てについて、次のとおり決定する。
【結　論】
　訂正を認める。
　特許第３０４３４８５号の請求項１ないし６に係る特許を取り消す。
【理　由】
１、手続の経緯
　特許第３０４３４８５号の請求項１ないし７に係る発明は、平成３年９月５日に特許出願され、平成１２年３月１０日にその特許の設定登録がなされ、その後、関口勝宏より特許異議の申立てがなされ、取消理由通知がなされ、その指定期間内である平成１３年４月１３日に訂正請求がなされたものである。
　
２、訂正の適否についての判断
（１）訂正の内容
　
　訂正事項a
　特許請求の範囲の請求項１を次のとおり訂正する。
 「画像発生源側から画像観視側へ、フレネルレンズシート，レンチキュラーレンズシート，光吸収シートの順に配列して構成され、前記フレネルレンズシ−トは、その光出射面（２２）の形状がフレネルレンズ形状をなし、前記レンチキュラーレンズシートは、その光入射面（３１）の形状が、スクリーン画面垂直方向を長手方向とするレンチキュラーレンズをスクリーン画面水平方向に連続して複数配列した形状を成すと共に、その光出射面（３２）の形状が、スクリーン画面垂直方向を長手方向とする光吸収帯を前記レンチキュラーレンズ相互間の境界部分にほぼ対向してスクリーン画面水平方向に複数配列した形状を成し、前記光吸収シートは、該光吸収シートの内部を通過してその光出射面（４２）から出射する光の光量を減衰させるように構成され、かつその厚さが、前記レンチキュラーレンズシートの厚さよりも厚いことを特徴とする透過型スクリーン。」
　
　訂正事項b
　特許請求の範囲の請求項２を削除し、請求項３、４、５、６及び７を、それぞれ新たな請求項２、３、４、５、及び６とする。
　
　訂正事項c
　特許明細書第３頁右欄第２４行ないし同欄第３２行（段落番号【００２１】）の記載を以下のとおり訂正する。
「【００２１】
　【課題を解決するための手段】上記の目的を達成するため、本発明の透過型スクリーンにおいては、従来の透過型スクリーンを構成するフレネルレンズシート、レンチキュラーレンズシートに加えて、最も画像観視側に光吸収シートを配置する３枚構成とする。さらに、上記光吸収シートを、例えば着色することにより、その光吸収シート内部を通過して光出射面から出射する光の光量を減衰させるように構成した。更に、光吸収シートの厚さを、レンチキュラーレンズシートの厚さよりも厚くした。」
　
（２）訂正の目的の適否、新規事項の有無及び拡張・変更の存否
　上記訂正事項a、bは、特許請求の範囲の減縮を目的とした訂正に該当し、また、上記訂正事項cは、明瞭でない記載の釈明を目的とした訂正に該当するものであり、いずれの訂正事項も、新規事項の追加に該当せず、実質的に特許請求の範囲を拡張又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３、特許異議の申立てについての判断
（１）本件発明
　上記２で述べたように上記訂正が認められることから、本件の請求項１に係る発明（以下、「本件発明１」という。）は、上記訂正に係る訂正明細書の特許請求の範囲の請求項１に記載された事項により特定されるとおりのものであり（上記２−（１）の訂正事項a参照）、また、本件の請求項２ないし６に係る発明（以下、「本件発明２」ないし「本件発明６」という。）は、該訂正明細書の特許請求の範囲の請求項２ないし６に記載された事項により特定される次のとおりのものである。
　
【請求項２】前記レンチキュラーレンズシートの光出射面（２２）に形成された前記光吸収帯の相互間に、スクリーン画面垂直方向を長手方向とするレンチキュラーレンズを設けたことを特徴とする請求項１に記載の透過型スクリーン。
　
【請求項３】前記光吸収シートの光入射面（４１）は、スクリーン画面水平方向を長手方向とするレンチキュラーレンズをスクリーン画面垂直方向に連続して複数配列した形状を成すことを特徴とする請求項１または２に記載の透過型スクリ−ン。
　
【請求項４】前記光吸収シートは、その表面に帯電防止処理が施されていることを特徴とする請求項１に記載の透過型スクリ−ン。
　
【請求項５】前記光吸収シートが着色されていることを特徴とする請求項１に記載の透過型スクリーン。
　
【請求項６】請求項１乃至５のいずれかに記載の透過型スクリーンを用いたことを特徴とする背面投写型画像ディスプレイ装置。
　
（２）引用刊行物に記載された発明
　当審が平成１３年２月１日付で通知した取消理由において引用した刊行物１ないし７は、次のとおりのものであり、該刊行物には、それぞれ以下のような発明が記載されている。
　刊行物１　実願昭６２−７４９９５号（実開昭６３−１８７１４０号）のマイクロフイルム
　刊行物２　特開平２−２５１９４５号公報
　刊行物３　特開平１−２１０９４２号公報
　刊行物４　実願平１−７３３２２号（実開平３−１２２３６号）のマイクロフイルム
　刊行物５　実願昭５６−１９８２６７号（実開昭５８−９８６３６号）のマイクロフイルム
　刊行物６　実願昭５７−１４７０５４号（実開昭５９−５３３５１号）のマイクロフイルム
　刊行物７　特開平３−３６５３６号公報
　
　上記刊行物１には、
　「本考案は、フレネルレンズを透過した像光によってレンチキュラーレンズ上に形成される画像をフレネルレンズ側とは逆側より観察するようにした透過型スクリーンにおいて、レンチキュラーレンズの観察側に、観察側が鏡面とされた半透明板を配するようにしたことにより、高画質化を図るようにしたものである。」（明細書第１頁第１６行〜第２頁第３行）。
　「第２図は背面投射型プロジェクターの一例の構成を示すものである。同図において、（１）は投射型陰極線管であり、この陰極線管（１）の画面上に表示された画像からの像光LBは、投射レンズ（２）、ミラー（３）〜（５）を介して透過型スクリーン（６）に投射され、この透過型スクリーン（６）上に画像が表示される。観察者（７）は、この画像を像光LBの投射側とは逆側から観察するようになされる。第３図は透過型スクリーン（６）の一例を示すものである。即ち、透過型スクリーン（６）は、像光LBの投射側に例えばアクリル製のフレネルレンズ（６１）が配されると共に、観察者（７）側にストライプ方向が垂直方向とされ光拡散剤（６３）が混入されたアクリル製のレンチキュラーレンズ（６２）が配されて構成される。この場合、像光LBは、・・・このフレネルレンズ（６１）で光路変更された像光LBは、レンチキュラーレンズ（６２）のレンズ面によって水平方向に拡散されると共に、・・・所定方向からの観察が可能となるようになされている。」（明細書第２頁第５行〜第３頁第８行）。
　「本考案は、フレネルレンズ（６１）を透過した像光によってレンチキュラーレンズ（６２）上に形成される画像をフレネルレンズ（６１）側とは逆側より観察するようにした透過型スクリーン（６）であって、レンチキュラーレンズ（６２）の観察側に、観察側が鏡面とされた半透明板（１０）を配するものである。」（明細書第４頁第３行〜９行）。
　「上述構成においては、レンチキュラーレンズ（６２）の観察側に半透明板（１０）が配されるので、レンチキュラーレンズ（６２）が直接外光LOにさらされなく、またレンチキュラーレンズ（６２）が観察者（７）の目に直接ふれなくなる。そのため、外光LOがレンチキュラーレンズ（６２）に入射することによって画像が白っぽくなり、コントラストが低下するのを軽減し得る。」（明細書第４頁第１１行〜１８行）。
　「本例においては、レンチキュラーレンズ（６２）の観察側に、例えば黒く着色された半透明板（１０）が配される。」（明細書第５頁第１１行〜１３行）。
　「この鏡面はハードコーティングで施してもよい。」（明細書第５頁第１４行〜１５行）。
　「なお、上述の実施例において、半透明板（１０）のレンチキュラーレンズ（６２）側の面（１０B）は鏡面であってもよく、シボを付けたり、あるいは垂直方向の拡散に寄与するレンチキュラーレンズを形成するようにしてもよい。」（明細書第６頁第１５行〜１９行）。
　「また、上述実施例においては、レンチキュラーレンズ（６２）は一方の面がレンズ面とされたものであるが、他方の面もレンチキュラーレンズ面としてもよく、」（明細書第６頁第２０行〜第７頁第３行）。
　「また、上述実施例におけるレンチキュラーレンズ（６２）のレンズ面は逆側であってもよく、」（明細書第７頁第６行〜７行）。
　「また、上述実施例におけるレンチキュラーレンズ（６２）の観察側にブラックストライプ（光吸収部）を設けるものにも本考案を同様に適用することができる。」（明細書第７頁第１０行〜１３行）。
　なる各記載事項があり、該記載事項の「観察者（７）側にストライプ方向が垂直方向とされ光拡散剤（６３）が混入されたアクリル製のレンチキュラーレンズ（６２）が配されて構成される。」及びフレネルレンズで光路変更された像光LBがレンチキュラーレンズのレンズ面によって水平方向に拡散されるものである旨の記載から、レンチキュラーレンズはスクリーン画面垂直方向を長手方向とすること明らかであり、また、該レンチキュラーレンズの観察側にブラックストライプを設けるものへの適用も明記されるところである。そして、半透明板は例えば黒色に着色したものであり、その内部を通過する光の光量を減衰させることは明らかである。また、「レンチキュラーレンズ（６２）は一方の面がレンズ面とされたものであるが、他方の面もレンチキュラーレンズ面としてもよく、」と記載されているから、第１図のレンチキュラーレンズ６２の光入射面の形状を平坦ではなくレンチキュラーレンズを連続して複数配列した構成が刊行物１に記載されている。よって、刊行物１には、該記載事項と、図面の記載からして、以下のような発明が記載されている。即ち、
　投射型陰極線管から観察側へ、フレネルレンズ、レンチキュラーレンズ、半透明板の順に配列して構成され、前記フレネルレンズは、その光出射面の形状がフレネルレンズ形状をなし、前記レンチキュラーレンズは、その光入射面の形状が、スクリーン画面垂直方向を長手方向とするレンチキュラーレンズをスクリーン画面水平方向に連続して複数配列した形状を成すと共に、その出射面の形状が、ブラックストライプを設けた形状を成し、前記半透明板は、該半透明板の内部を通過してその光出射面から出射する光の光量を減衰させるように構成された透過型スクリーン、が記載され、また、該スクリーンの上記半透明板は、着色されたものである構成と、その光入射面は、垂直方向の拡散に寄与するレンチキュラーレンズを形成したものである構成、が記載されている。
　
　上記刊行物２には、
　「第５図に示した透過型スクリーンは、投写器側から順に、フレネルレンズ板２１、レンティキュラ板２２、透光性板２３と配置されたものである。・・・こうすると、レンティキュラ板２２が薄く機械的強度が弱い場合には、透光性板２３がレンティキュラ板２２の変形を抑制することができる。」（公報、第３頁右下欄第８行〜第４頁左上欄第２行）。
　「透光性板６の内部の光吸収剤により、本来の画像の輝度は低下するものの、外光は透光性板６を２回通過するために光強度が大きく減衰し、それだけコントラストが良くなる。」（公報、第３頁左上欄第１６行〜２０行）。
　なる記載事項があり、該記載事項と図面、特に第５図の記載から、
　投写器側から観察者側へ順にフレネルレンズ板（フレネルレンズシート）、レンティキュラ板（レンチキュラーレンズシート）、透光性板（光吸収シート）が配置された透過型スクリーンにおいて、透光性板による外光の光強度の減衰と、これによるコントラストの向上を図る構成と、該透光性板の機械的強度によりレンティキュラ板の変形を抑制する構成が記載されている。
　
　上記刊行物３には、
　「また、上記レンチキュラーシート２の入射面（フレネルシート１側の面）にはスクリーンの水平方向をピッチ方向として並ぶ第２のレンチキュラー２aが形成されるとともに、出射面（フレネルシート１の反対側）には上記第２のレンチキュラー２aと同じピッチで水平方向に並ぶブラックストライプ２b（第１図斜線部）が印刷等によって形成され、さらに、ブラックストライプ２bの各間隙の谷部には上記入射面の第２のレンチキュラー２aより幅の狭い第３のレンチキュラー２cが形成されている。」（公報第３頁右上欄第４行〜１４行）。
　なる記載事項があり、また、第１、２図からレンチキュラー（レンズ）の相互間の境界部分にほぼ対向してブラックストライプが複数配列されている点と、該ブラックストライプ（２b）の各間隙の谷部にレンチキュラー（レンズ）が形成されている点は明らかであるから、該記載事項と図面特に第１図、第２図の記載からして、
　背面投写型プロジェクションテレビのスクリーン（透過型スクリーン）において、レンチキュラーシートはその光入射面の形状が水平方向をピッチ方向として並ぶ（スクリーン画面垂直方向を長手方向とするレンチキュラーレンズをスクリーン画面水平方向に連続して複数配列）レンチキュラーを成すと共に、その出射面の形状が、レンチキュラーと同じピッチで水平方向（スクリーン画面垂直方向を長手方向とする）に並ぶブラックストライプをレンチキュラー（レンズ）相互間の境界部分にほぼ対向してスクリーン画面水平方向に複数配列した形状とした構成、が記載され、また、前記ブラックストライプの各間隙の谷部にレンチキュラー（レンズ）を形成した構成が記載されている。
　
　上記刊行物４および７には、投影スクリーン（透過型スクリーン）における、静電気の帯電防止によるゴミやホコリの付着を防止する構成が記載され、また、前記刊行物４には、スクリーンの観察側に位置する表面板と称する着色された無機ガラス（光吸収シート）が記載され、該無機ガラスが特定波長を選択的に吸収する点と、その剛性によりスクリーン本体自体の反りや湾曲を防止する点を備える構成が記載されている。
　
　上記刊行物５には、フレネルレンズやレンチキュラーレンズを備えた透過型スクリーンにおいて、スクリーン本体の観察側に着色透明樹脂板を配設し、外光によるコントラスト悪化の改善をなした構成が記載されている。
　
　上記刊行物６には、フレネルレンズとレンチキュラーレンズとを有する背面投影スクリーンにおいて、該スクリーンの前面に外光吸収層を持つ着色前面板を設け、これにより外光を吸収し、コントラストの改善をなした構成が記載されている。
　
（３）対比・判断
　a、本件発明１について、　
　本件発明１と刊行物１に記載された発明とを対比すると、刊行物１に記載された発明の「投射型陰極線管」、「観察側」、「フレネルレンズ」、「レンチキュラーレンズ」、「半透明板」、「ブラックストライプ」はそれぞれ、本件発明の「画像発生源」、「画像観視側」、「フレネルレンズシート」、「レンチキュラーレンズシート」、「光吸収シート」、「光吸収帯」に相当するから、両者は、
　画像発生源側から画像観視側へ、フレネルレンズシート，レンチキュラーレンズシート，光吸収シートの順に配列して構成され、前記フレネルレンズシートは、その光出射面の形状がフレネルレンズ形状をなし、前記レンチキュラーレンズシートは、その光入射面の形状が、スクリーン画面垂直方向を長手方向とするレンチキュラーレンズをスクリーン画面水平方向に連続して複数配列した形状を成すと共に、その光出射面の形状が光吸収帯を配列した形状を成し、前記光吸収シートは、該光吸収シートの内部を通過してその光出射面から出射する光の光量を減衰させるように構成された透過型スクリーン。
　で一致し、以下の点において相違している。
　イ、本件発明１のレンチキュラーレンズシ−トの光出射面の形状が、該面に配列されるスクリーン画面垂直方向を長手方向とする光吸収帯を、該レンズシート光入射面側の複数レンチキュラーレンズに対して該レンズ相互間の境界部分にほぼ対向するような関係において、スクリーン画面水平方向に複数配列した形状を成すように構成されているのに対し、刊行物１に記載された発明の該レンズシートの光出射面の形状は、光吸収帯をレンチキュラーレンズの観察側に設けたものである構成以外の点については格別の記載がなく明らかではない点。
　ロ、本件発明１の光吸収シートは、その厚さがレンチキュラーレンズシートの厚さよりも厚いものであるのに対し、刊行物１に記載された発明の光吸収シートは、その厚さについては格別な記載がなされていない点。
　
　上記相違点について検討する。
　先ず、イの点について検討すると、上記刊行物３に記載された発明には、上述のような光入射面にレンチキュラー（レンズ）を備えたレンチキュラーシート（レンチキュラーレンズシート）において、該シートの光出射面の形状が、該面に配列されるスクリーン画面垂直方向を長手方向とするブラックストライプ（光吸収帯）を、該シートの反対側の面である光入射面側に形成された複数のレンチキュラー（レンズ）に対して、該レンチキュラー（レンズ）相互間の境界部分の位置にほぼ対向するような関係においてスクリーン画面水平方向に複数配列した形状である構成が開示されており、また、上述したシートにおいては、上記ブラックストライプ（光吸収帯）のレンチキュラー（レンズ）に対する配列形状の採用は光学的作用からみてもきわめて自然な選択であるということができる。そして、刊行物１に記載された発明には、上述したようにレンチキュラーレンズシートのその光出射面に光吸収帯を設けた構成が記載されているところであり、該光吸収帯においてその配列形状として刊行物３に記載された発明の上述の光吸収帯の配列形状を適用することは何ら困難性を要することではなく、該適用により刊行物１に記載された発明の上記レンチキュラーレンズシートの光出射面の形状を本件発明１のこの点のように構成することは当業者が容易になし得たことである。
　
　次に、ロの点について検討する。
　ところで、本件発明１において光吸収シートの厚さをレンチキュラーレンズシートの厚さより厚くしたその理由をみると、透過型スクリーン全体としての機械的強度の確保であり、これにより該スクリーンの反りや変形を防止して高画質化を実現するものである。　　しかしながら、光吸収シートの剛性を大きくしてスクリーンの反りや変形を防止するという技術思想は上記刊行物２および４に開示されているように従来公知もしくは周知の事項であり、そして、該光吸収シートの剛性を大きくする具体的手段として該シートの厚さの調整に着目した選択をなすことはきわめて自然であり、該シートの厚さをレンチキュラーレンズシートの厚さより厚くしたという構成は、該厚さの調整に着目した１つの選択結果にすぎず、この点は適宜なし得た設計上の選択事項である。
　
　上述したことから明らかなように、上記両者の相違点には格別な点は存在しない。
　
　b、本件発明２について、
　本件発明２は、本件発明１において、そのレンチキュラーレンズシートの光出射面の構成を、該面に形成された光吸収帯の相互間に、スクリーン画面垂直方向を長手方向とするレンチキュラーレンズを設けたものとして構成したものであるが、上記刊行物３に記載された発明には、レンチキュラーレンズシートの出射面に複数配列されたブラックストライプ（光吸収帯）の各間隙の谷部（相互間）にレンチキュラー（レンチキュラーレンズ）を形成した構成が開示されており、しかも、該レンチキュラーはスクリーン画面垂直方向を長手方向とするもの（水平方向をピッチ方向として並ぶもの）であること明らかであり、該構成を本件発明１のブラックストライプを設けたレンチキュラーレンズシートの光出射面の構成に適用することは何ら困難性を要することではなく、該適用により本件発明１の該出射面を上述の構成として本件発明２のようになすことは格別なことではない。
　
　c、本件発明３について、
　本件発明３は、本件発明１または２において、その光吸収シートの光入射面の形状を、スクリーン画面水平方向を長手方向とするレンチキュラーレンズをスクリーン画面垂直方向に連続して複数配列したものとして構成したものであるが、上記刊行物１に記載された発明には、半透明板（光吸収シート）の光入射面に垂直方向の拡散に寄与するレンチキュラーレンズ（実質的にスクリーン画面水平方向を長手方向とするレンチキュラーレンズをスクリーン画面垂直方向に連続して複数配列した形状に相当）を形成する構成としてもよいことが記載されており、該構成を本件発明１または２の光吸収シートの光入射面に適用することは何ら困難性を要することではなく、該適用により本件発明１または２の光吸収シートの該入射面を上述の構成として本件発明３のようになすことは格別なことではない。
　
　d、本件発明４について、
　本件発明４は、本件発明１において、その光吸収シートの表面に耐電防止処理を施したものであるが、上記刊行物４および７に記載された発明には、透過型スクリーンにおける静電気の帯電防止技術が開示され、これにより該スクリーンへのゴミやホコリの付着を防止する構成が記載されており、該帯電防止技術を前記同様の課題認識のもとに本件発明１の透過型スクリーンに適用することは何ら困難性を要することではなく、しかも、該適用の対象部が該スクリ−ンにおける光吸収シートの表面である点にも前記課題からして格別の特徴が存するものではないから、該適用により本件発明１の光吸収シートの表面を上述した構成として本件発明４のようになすことは格別なことではない。
　
　e、本件発明５について、
　本件発明５は、本件発明１において、その光吸収シートを着色されたものとしたものであるが、光吸収シートに着色を施し、これによりスクリーンにおける外光によるコントラストの低下を防止する構成は、上記刊行物１、４、５および６にも開示されるように従来周知技術であり、該周知の技術を本件発明１の光吸収シートに適用することに何ら困難性はなく、該適用により本件発明１の光吸収シートを上述した構成として本件発明５のように構成することは格別なことではない。
　
　f、本件発明６について、
　本件発明６は、本件発明１ないし５のいずれかに記載の透過型スクリーンを用いた背面投写型画像ディスプレイ装置であるが、該透過型スクリーンを背面投写型画像ディスプレイ装置に用いることはきわめて普通の選択であるから、該用途の対象を上述の背面投写型画像ディスプレイとする点は単なる該透過型スクリーンの用途の限定にすぎず、本件発明６のように構成することは何ら格別なことではない。　
　
（４）むすび
　以上のとおりであるから、本件発明１ないし６は、特許法第２９条第２項の規定により、特許を受けることができない。
　したがって、本件発明１ないし６についての特許は拒絶の査定をしなければならない特許出願に対してなされたものと認める。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月８日（２００１．５．８）
【訂正の要旨】
　訂正の要旨
　訂正事項ａ
　特許請求の範囲の請求項１を、その減縮を目的として次のとおり訂正する。
　「画像発生源側から画像観視側へ、フレネルレンズシート，レンチキュラーレンズシート，光吸収シートの順に配列して構成され、前記フレネルレンズシートは、その光出射面（２２）の形状がフレネルレンズ形状をなし、前記レンチキュラーレンズシートは、その光入射面（３１）の形状が、スクリーン画面垂直方向を長手方向とするレンチキュラーレンズをスクリーン画面水平方向に連続して複数配列した形状を成すと共に、その光出射面（３２）の形状が、スクリーン画面垂直方向を長手方向とする光吸収帯を前記レンチキュラーレンズ相互間の境界部分にほぼ対向してスクリーン画面水平方向に複数配列した形状を成し、前記光吸収シートは、該光吸収シートの内部を通過してその光出射面（４２）から出射する光の光量を減衰させるように構成され、かつその厚さが、前記レンチキュラーレンズシートの厚さより厚いことを特徴とする透過型スクリーン。」
　訂正事項ｂ
　特許請求の範囲の請求項２を削除し、請求項３、４、５、６及び７を、それぞれ新たな請求項２、３、４、５、及び６とする。
　訂正事項ｃ
　特許明細書第３頁右欄第２４行ないし同欄第３２行（段落番号【００２１】）の記載を、その明瞭でない記載の釈明を目的として以下のとおり訂正する。
「【００２１】
　【課題を解決するための手段】上記の目的を達成するため、本発明の透過型スクリーンにおいては、従来の透過型スクリーンを構成するフレネルレンズシート、レンチキュラーレンズシートに加えて、最も画像観視側に光吸収シートを配置する３枚構成とする。さらに、上記光吸収シートを、例えば着色することにより、その光吸収シート内部を通過して光出射面から出射する光の光量を減衰させるように構成した。更に、光吸収シートの厚さを、レンチキュラーレンズシートの厚さよりも厚くした。」
（５４）【発明の名称】
透過型スクリーン及びそれを用いた背面投写型画像ディスプレイ装置
（５７）【特許請求の範囲】
　【請求項１】画像発生源側から画像観視側へ、フレネルレンズシート，レンチキュラーレンズシート，光吸収シートの順に配列して構成され、
　前記フレネルレンズシートは、その光出射面（２２）の形状がフレネルレンズ形状をなし、前記レンチキュラーレンズシートは、その光入射面（３１）の形状が、スクリーン画面垂直方向を長手方向とするレンチキュラーレンズをスクリーン画面水平方向に連続して複数配列した形状を成すと共に、その光出射面（３２）の形状が、スクリーン画面垂直方向を長手方向とする光吸収帯を前記レンチキュラーレンズ相互間の境界部分にほぼ対向してスクリーン画面水平方向に複数配列した形状を成し、前記光吸収シートは、該光吸収シートの内部を通過してその光出射面（４２）から出射する光の光量を減衰させるように構成され
、かつその厚さが、前記レンチキュラーレンズシートの厚さよりも厚い
　【
請求項２
　【
請求項３
　【
請求項４
　【
請求項５
　【
請求項６
【発明の詳細な説明】
　【０００１】
　【産業上の利用分野】本発明は、透過型スクリーンとそれを用いた背面投写型画像ディスプレイ装置に関する。
　【０００２】
　【従来の技術】小型画像発生源としての投写型ブラウン管や液晶表示装置などに表示された画像を、投写レンズにより拡大し、透過型スクリーンに投写する背面投写型テレビジョン受像機等の背面投写型画像ディスプレイ装置は、近年、画質の向上が著しく、大画面による迫力ある臨場感を楽しむことができるため、家庭用、業務用に普及が進んでいる。
　【０００３】この背面投写型画像ディスプレイ装置においては、投写型ブラウン管を画像発生源として用いる場合、透過型スクリーン上の画面の輝度を十分に明るくするため、従来より、赤，緑，青の３原色についてそれぞれブラウン管と投写レンズを組み合わせ、透過型スクリーン上で３原色の画像の合成を行うようにしていた。
　【０００４】この構成の背面投写型画像ディスプレイ装置においては、従来より、たとえば特開昭５８−９３０４３号公報に記載のように、フレネルレンズシートと、内部に光を散乱する光拡散材の微粒子を分散してなるレンチキュラーレンズシートとを組み合わせた２枚構成の透過型スクリーンが一般に用いられていた。
　【０００５】図９は上記従来技術による透過型スクリーンの要部を示す斜視図である。図９において、１は透過型スクリーン、２は画像発生源（ブラウン管画面）側に配置されるフレネルレンズシート、３は画像観視側に配置されるレンチキュラーレンズシートである。２０、３０はそれぞれフレネルレンズシート２、レンチキュラーレンズシート３の基材であり、いずれも透明熱可塑性樹脂よりなる。このうち、レンチキュラーレンズシート３の基材３０中には、光を散乱させる光拡散材の微粒子が分散されている。２１、２２はフレネルレンズシート２の、それぞれ光入射面，光出射面であり、光入射面２１はスクリーン画面水平方向を長手方向とする第一のレンチキュラーレンズをスクリーン画面垂直方向に連続して複数配列した形状、光出射面２２はフレネル凸レンズ面形状になっている。
　【０００６】また、３１は、レンチキュラーレンズシート３の光入射面であり、スクリーン画面垂直方向を長手方向とする第二のレンチキュラーレンズをスクリーン画面水平方向に複数並べた形状となっている。３２はレンチキュラーレンズシート３の光出射面であり、光入射面３１の第二のレンチキュラーレンズにほぼ相対して、同じような形状の第三のレンチキュラーレンズが複数配列されるとともに、隣り合うレンチキュラーレンズとの間には、凸形突起部３３が設けられ、この凸形突起部３３上に光吸収帯（ブラックストライプ）６が積層されている。
　【０００７】上記の従来の透過型スクリーンにおいては、投写型ブラウン管管面上の表示画像の各点から出射した光束は、投写レンズ（いずれも図示せず）を経て、フレネルレンズシート２の光入射面２１に入射する。このとき、光入射面２１が平面でレンチキュラーレンズがない場合には、上記の入射光束は、フレネルレンズシート２の光出射面２２のフレネルレンズによりほぼ平行光束に変換され、レンチキュラーレンズシート３に入射する。
　【０００８】レンチキュラーレンズシート３に入射した光束は、光入射面３１の第二のレンチキュラーレンズにより光出射面３２上の第三のレンチキュラーレンズ面付近の焦点に向かい、その焦点からスクリーン画面水平方向に拡散するとともに、基材３０内に分散された前記の光拡散材の微粒子により、スクリーン画面垂直方向及び水平方向に拡散されながら画像観視側に出射する。
　【０００９】しかし、フレネルレンズシート２の光入射面２１には、図９に示すごとく、スクリーン直面水平方向を長手方向とする第一のレンチキュラーレンズがあるので、上記の入射光束は、この第一のレンチキュラーレンズによりスクリーン画面垂直方向の拡散特性を付与される。その後さらに、レンチキュラーレンズシート３の基材３０内に分散された光拡散材の微粒子によってもスクリーン画面垂直方向の拡散特性を付与される。
　【００１０】図１０は図９の透過型スクリーン１の垂直断面を示す断面図である。図１０において、光入射面２１の第一のレンチキュラーレンズのピッチは、通常、投写画像の走査線のピッチ、または画素のピッチより小さく設計される。このとき、入射光束１４は、光入射面２１の第一のレンチキュラーレンズ面から入射するとき、同じ走査線、または同じ画素であっても、入射位置によって入射角が異なるため、それぞれ異なる角度に屈折し、スクリーン画面垂直方向に拡散されることになる。しかも、上記の第一のレンチキュラーレンズの曲率半径を小さくすれば、入射光束１４の入射角が大きくなり、光線はより広い角度範囲に拡散して指向特性が広がり、いわゆる視野角が増加する。
　【００１１】図１１は図９の透過型スクリーン１におけるレンチキュラーレンズシート３の断面を示す断面図であり、図１１（ａ）は光出射面３２の一つのレンチキュラーレンズの幅方向中心における垂直断面を、図１１（ｂ）は水平断面を、それぞれ示している。
　【００１２】図１１（ａ）及び図１１（ｂ）において、レンチキュラーレンズシート３の基材３０内には、前述のように、光拡散材の微粒子が分散されており、これにより、入射光束１４は光入射面３１から入射後、スクリーン画面水平方向及び垂直方向に拡散しながら進み、光出射面３２から画像観視側に出射する。そして、上記の光拡散材の量を増せば、光はより広い角度範囲に拡散して指向特性が広がり、視野角が増加する。
　【００１３】
　【発明が解決しようとする課題】上記の従来の透過型スクリーンにおいては、レンチキュラーレンズシート３の光入射面３１への入射光束１４は、図１１（ａ）、図１１（ｂ）に示すように、光出射面３２付近の焦点に至る前に前記の光拡散材により散乱されるために、一部の光束は再び光入射面３１側に反射されたり、レンチキュラーレンズシート３内の迷光となったり、あるいは前記の光吸収帯６で吸収されたりして、光出射面３２付近の焦点に到達しない。
　【００１４】また、照明光などの外光は、半分程度がレンチキュラーレンズシート３の光出射面３２に設けられた前記の光吸収帯６により吸収されるが、光出射面３２の第三のレンチキュラーレンズに入射した外光は、投写画像光と同様に、光拡散材により散乱される。
　【００１５】この結果、スクリーン画面垂直方向の指向特性を広げるために光拡散材を増量すると、投写光学系内の不要反射光が増し、この不要反射光が最終的にスクリーン画面（即ち、レンチキュラーレンズシート３の光出射面３２）に到達すると、画像のコントラストの低下を招く。また、照明光などの外光に対しても、光拡散材の増量により拡散反射光が増し、画像のコントラストを低下させる。
　【００１６】したがって、画像のコントラストが低下しないようにスクリーン画面垂直方向の指向特性を拡大するためには、光拡散材の量を減らし、フレネルレンズシート２の光入射面２１の第一のレンチキュラーレンズの曲率半径を小さくしなければならないことになる。
　【００１７】一方、図１０に示すように、フレネルレンズシート２においては、入射光束１４は、光入射面２１の第一のレンチキュラーレンズの形状により屈折してスクリーン画面垂直方向に拡散されるため、フレネルレンズシート２を透過して光出射面２２に到達したとき、画像観視側から見たときの光束の幅ｄは、入射光束１４の幅より大きくなり、したがって、光出射面２２における走査線幅あるいは画素サイズが大きくなり、結果としてフォーカス特性が低下することになる。
　【００１８】このとき、スクリーン画面垂直方向の指向特性を拡大するために、フレネルレンズシート２の光入射面２１の第一のレンチキュラーレンズの曲率半径を小さくすると、光出射面２２における走査線幅あるいは画素サイズが大きくなり、フォーカス特性はさらに低下する。
　【００１９】これらの点から、従来の透過型スクリーンでは、画像のコントラスト、フォーカス特性にトレードオフがないようにスクリーン画面垂直方向の指向特性を拡大するとはできないという問題点があった。
　【００２０】
　本発明の目的は、従来の問題点は上記の如く色々あるが、結局のところ、画像のフォーカス特性及びコントラストを良好にした透過型スクリーン、及びそれを用いる背面投写型画像ディスプレイ装置を提供することにある。
　【００２１】
　【課題を解決するための手段】上記の目的を達成するため、本発明の透過型スクリーンにおいては、従来の透過型スクリーンを構成するフレネルレンズシート、レンチキュラーレンズシートに加えて、最も画像観視側に光吸収シートを配置する３枚構成とする。さらに、上記光吸収シートを、例えば着色することにより、その光吸収シート内部を通過して光出射面から出射する光の光量を減衰させるように構成した。
更に、光吸収シートの厚さを、レンチキュラーレンズシートの厚さよりも厚くした。
　【００２２】
　【作用】上記の構成の透過型スクリーンを用いた背面投写型画像ディスプレイ装置においては、投写型ブラウン管などの画像発生源からの出射光は、投写レンズを経て透過型スクリーンに入射し、透過型スクリーンの画像発生源側に配置されたフレネルレンズシートにおいてほぼ平行光となって通過し、次いでレンチキュラーレンズシートの光入射面の第二のレンチキュラーレンズによりスクリーン画面水平方向に拡散され、さらに光吸収シートを透過して画像観視側に出射する。
　【００２３】また、スクリーン画面垂直方向の光拡散は、主としてフレネルレンズシートの光入射面の第一のレンチキュラーレンズ、または光吸収シートの光入射面の第四のレンチキュラーレンズ、もしくはこの両者により行われる。このため、レンチキュラーレンズシート、もしくは光吸収シートの光拡散材は減量でき、投写光学系内の不要反射光が低減され、画像のコントラストが向上する。また、照明光などの外光に対しても、光拡散材の減量により拡散反射光が減ることから、画像のコントラストが向上する。
　【００２４】さらに、画像発生源から観視者に至る投写画像光は、光吸収シートを１回だけ透過するため、光量が光吸収シートの透過率に比例して減衰するのに対し、照明光などの外光が透過型スクリーンで反射されて観視者に至るときは、光吸収シートの最も画像観視側の光出射面で反射される光を除き、その外光の大部分は光吸収シートを少なくとも１往復通るため、光量が光吸収シートの透過率の２乗に比例して減衰する。したがって、投写光より外光の方が損失光の比率が大きくなり、照明光などの外光があるときのコントラストが向上する。
　【００２５】一方、フレネルレンズシートの光入射面にスクリーン画面垂直方向の光拡散を行うための第一のレンチキュラーレンズがある場合、フレネルレンズシート、レンチキュラーレンズシート、光吸収シートのうち、光吸収シートを最も厚さを厚くし、フレネルレンズシートの厚さを従来のスクリーンより薄くすることにより、画像のフォーカスが向上する。
　【００２６】さらに、スクリーン画面垂直方向の光拡散を、主として光吸収シートの光入射面の第四のレンチキュラーレンズによって行うことにより、画像のフォーカスはさらに良好なものとなる。
　【００２７】
　【実施例】以下、本発明の第一の実施例を図１〜図６により説明する。図１は本発明の第一の実施例としての透過型スクリーンの要部を示す斜視図で
ある。
　図１において、１は透過型スクリーン、２はフレネルレンズシート、３はレンチキュラーレンズシート、４は光吸収シートである。フレネルレンズシート２、レンチキュラーレンズシート３、光吸収シート４はそれぞれ端部（図示せず）で相互に固定されている。２０、３０、４０はそれぞれフレネルレンズシート２、レンチキュラーレンズシート３、光吸収シート４の基材であり、このうち、光吸収シート４の基材４０は半透明に着色された熱可塑性樹脂材料よりなり、他はいずれもほぼ透明な熱可塑性樹脂材料よりなる。
　【００２８】２１はフレネルレンズシート２の光入射面であり、本実施例では平面である。２２はフレネルレンズシート２の光出射面であり、フレネル凸レンズになっている。３１はレンチキュラーレンズシート３の光入射面であり、スクリーン画面垂直方向を長手方向とするレンチキュラーレンズ（以下、「第二のレンチキュラーレンズ」と記す）をスクリーン画面水平方向に連続して複数並べた形状となっている。
　【００２９】３２はレンチキュラーレンズシート３の光出射面であり、スクリーン画面垂直方向を長手方向とするレンチキュラーレンズ（以下、「第三のレンチキュラーレンズ」と記す）を光入射面３１の第二のレンチキュラーレンズにほぼ対向してスクリーン画面水平方向に連続して複数並べた形状となっている。さらに第三のレンチキュラーレンズ相互間の境界部分には、凸形突起部３３が設けられ、その上に有限幅の光吸収帯６が設けられている。
　【００３０】また、４１は光吸収シート４の光入射面であり、スクリーン画面水平方向を長手方向とするレンチキュラーレンズ（以下、「第四のレンチキュラーレンズ」と記す）をスクリーン画面垂直方向に連続して複数並べた形状となっている。４２は光吸収シート４の光出射面であり、平面で構成されている。
　【００３１】本実施例が、図９に示した従来の透過型スクリーンと相違する点は、図１に示すように、光吸収シート４が新たに構成要素として加わった点と、フレネルレンズシート２の光入射面２１のスクリーン画面水平方向を長手方向とする第一のレンチキュラーレンズがなくなり、これに代って光吸収シート４の光入射面４１にスクリーン画面水平方向を長手方向とする第四のレンチキュラーレンズが設けられた点と、レンチキュラーレンズシート３の基材３０の中に光拡散材の微粒子が分散されていない点の３点である。
　【００３２】次に、図１に示した透過型スクリーン１を構成するフレネルレンズシート２、レンチキュラーレンズシート３、光吸収シート４について、まずフレネルレンズシート２から詳細に説明する。図２は図１の透過型スクリーン１を用いた背面投写型画像ディスプレイ装置の要部を示す断面図であり、また、図３は図２の背面投写型画像ディスプレイ装置の投写光学系を水平面上に展開したときの概略展開図である。
　【００３３】図２及び図３において、１は透過型スクリーン、７Ｒ、７Ｇ、７Ｂはそれぞれ赤、緑、青の投写型ブラウン管、８Ｒ、８Ｇ、８Ｂはそれぞれ投写型ブラウン管７Ｒ、７Ｇ、７Ｂ用の投写レンズ、１０Ｒ、１０Ｇ、１０Ｂはそれぞれ赤、緑、青の投写光束である。１１は投写光束１０Ｒ、１０Ｇ、１０Ｂを折り返すための反射鏡であり、図３ではこの反射鏡１１を省略した展開図となっている。また、１２は筐体、１３Ｒ、１３Ｇ、１３Ｂはそれぞれ投写レンズ８Ｒ、８Ｇ、８Ｂの光軸であり、透過型スクリーンしの中心付近の一点Ｓ０において、光軸集中角θで交わっている。
　【００３４】図２及び図３において、投写光束１０Ｒ、１０Ｇ、１０Ｂは広がりながら透過型スクリーン１に入射している。これに伴い、透過型スクリーン１上の画像の各画素においては、特定の１色、たとえば赤の光線について見ると、各画素の主光線は平行ではなく、透過型スクリーン１の中心画素の主光線に対し互いに遠ざかる方向で透過型スクリーン１に入射する。このとき、透過型スクリーン１上の各画素については、それぞれの画素の主光線の方向が最も光の強度が強い方向となるため、一定位置にいる観視者にとっては、画像の一部分のみ明るく、その周囲は非常に暗く見えることになる。
　【００３５】これに対し、透過型スクリーン１において、フレネルレンズシート２は、光入射面２１全体に入射する画像光の光束が、赤、緑、青の色ごとにほぼ平行光束となるように、光出射面２２のフレネル凸レンズにより変換し、レンチキュラーレンズシート３に入射させる機能を有しており、透過型スクリーン１上の画面の明るさの分布を改善できる効果がある。
　【００３６】ただし、このとき、前述のように、図３において、緑の光軸１３Ｇは、赤の光軸１３Ｒ、青の光軸１３Ｂと光軸集中角θで交わっている。これに伴い、透過型スクリーン１上の各画素においては、赤、緑、青の各主光線は互いに異なる角度でフレネルレンズシート２に入射し、異なる角度でフレネルレンズシート２から出射する。このため、赤、緑、青の光線のレンチキュラーレンズシート３への入射角も互いに異なる角度となる。
　【００３７】赤、緑、青の各色の投写光束がレンチキュラーレンズシート３によりスクリーン画面水平方向に拡散されるとき、各色は各画素ごとに主光線の方向が最も明るい方向となるため、観視者が画像を見る水平方向の位置によって、赤、緑、青の３原色の色のバランスが変化し、画像の色が変化して見える。この現象は「カラーシフト」と呼ばれている。
　【００３８】次に、レンチキュラーレンズシート３について説明する。レンチキュラーレンズシート３の光入射面３１の第二のレンチキュラーレンズは、フレネルレンズシート２から出射した投写画像光の光束を、各画素ごとにスクリーン画面水平方向に拡散させ、画像観視側に出射させる機能を有している。これについてさらに詳しく説明する。
　【００３９】図４は図１の透過型スクリーン１におけるレンチキュラーレンズシート３の、光入射面３１と光出射面３２の１対のレンチキュラーレンズ部の水平断面を示す断面図であり、３１Ｌ、３２Ｌはそれぞれ光入射面３１の第二のレンチキュラーレンズ面、光出射面３２の第三のレンチキュラーレンズ面である。
　【００４０】図４において、光入射面３１側の第二のレンチキュラーレンズ面３１Ｌは、楕円柱面の一部であり、その楕円は、レンチキュラーレンズシート３の厚さ方向（矢印Ａにより示す）を長軸方向とし、楕円の２焦点のうち１焦点Ｆ１が基材３０の内部に位置し、他の１焦点Ｆ２が出射面３２付近に位置するように構成されている。また、楕円の離心率ｅは、基材３０の屈折率ｎのほぼ逆数となるように選ばれている。
　【００４１】さて、図４に示すように、ｘｙ座標をとると、第二のレンチキュラーレンズ面３１Ｌの楕円は次式で表される。ただし、この楕円とｘ軸との交点Ｓの座標を、（−ｒ，０）とする。
　【数１】
　このとき、楕円の焦点Ｆ１の座標は（−ｅｒ，０）、焦点Ｆ２の座標は（ｅｒ，０）で与えられる。
　【００４２】
　ここで、基材３０の屈折率ｎに対して、
　【数２】
とすると、楕円の長軸に平行に第二のレンチキュラーレンズ面３１Ｌに入射した光線は、全て光出射面３２付近の焦点Ｆ２に収束し、この焦点Ｆ２からスクリーン画面水平方向に拡散される。
　【００４３】Ｆ２が焦点となる理由は、入射光線の、ｘ＝−ｒの平面から焦点Ｆ２に至る光路長Ｌが、光線のレンズ面への入射位置Ｐの座標を（ｘ１，ｙ１）とするとき、数１より
　【数３】
が成り立つから、
　【数４】
のように一定値となるためである。
　【００４４】一方、光出射面３２側の第三のレンチキュラーレンズ面３２Ｌは、光出射面３２の表面において、第二のレンチキュラーレンズ面３１Ｌの楕円柱面とほぼ対称な楕円柱面としている。この第三のレンチキュラーレンズ面３２Ｌは、図４に示すように、赤、緑、青の入射光Ｒ、Ｇ、Ｂに対し、出射光の指向特性Ｒ´、Ｇ´、Ｂ´をほぼ平行にする機能を有しており、前述のカラーシフトを大幅に低減することができる効果がある。
　【００４５】また、前記のように、第二のレンチキュラーレンズ面３１Ｌを上記の構成の楕円とした場合には、レンチキュラーレンズシート３への入射光は、図４に示すように、第三のレンチキュラーレンズ面３２Ｌの中央付近の焦点Ｆ２の近傍を通り、中央付近の両側の、隣接するレンチキュラーレンズ面との境界部付近においては光は通らない。このため、その境界部分付近に凸形突起部３３を設け、その上に有限幅の光吸収帯６が設けられている。
　【００４６】この光吸収帯６は、照明光などの外光が光吸収シート４の光出射面４２から入射した場合、その外光の一部は光吸収シート４において吸収されずにレンチキュラーレンズシート３の光出射面３２に入射するが、その外光のさらに一部を反射せず吸収する機能を有しており、照明光などの外光があるときの画像のコントラストを向上させる効果がある。
　【００４７】なお、レンチキュラーレンズシート３は、従来の透過型スクリーンと異なり、光拡散材を有していない。したがって、光入射面３１への入射光線が光出射面３２に至る前に光拡散材により散乱されて迷光を生じたりすることがなく、さらに、光出射面３２に入射した外光が光拡散材により散乱されたりすることもないので、従来のスクリーンに比較して飛躍的に画像のコントラストが向上する効果がある。
　【００４８】次に、光吸収シート４について説明する。図５は図１の透過型スクリーン１の垂直断面を示す断面図であり、図１と同一部分には同一符号を付し、その説明を省略する。図５において、光吸収シート４の光入射面４１には、スクリーン画面水平方向を長手方向とする第四のレンチキュラーレンズが設けられている。この第四のレンチキュラーレンズは、レンチキュラーレンズシート３から出射し光吸収シート４の光入射面４１に入射する光束１４を、スクリーン画面垂直方向に拡散する機能を有している。
　【００４９】これは、入射光束１４が同じ走査線、または同じ画素の光線であっても、光入射面４１への入射位置の違いにより入射角が違ってくるため、異なる角度に屈折する現象に基づいている。したがって、この第四のレンチキュラーレンズの曲率半径を小さくすれば、入射光束１４の入射角が大きくなり、光はより広い角度範囲に拡散してスクリーン画面垂直方向の指向特性が広がり、垂直視野角が増加する。
　【００５０】ここで、第四のレンチキュラーレンズのピッチは、投写画像の走査線のピッチ、または画素のピッチより小さくなるよう構成する必要があり、さらには、画像の走査線とのモアレ、及び、画面上部と下部におけるフレネルレンズシート３のフレネル凸レンズの輪帯ピッチとのモアレを考慮して決める必要がある。
　【００５１】このうち、走査線のピッチと第四のレンチキュラーレンズのピッチによるモアレが特に注意を要するが、第四のレンチキュラーレンズのピッチを第二のレンチキュラーレンズのスクリーン画面水平方向のピッチより充分小さくし、さらに走査線のピッチよりも充分小さくするとともに、走査線のピッチと第四のレンチキュラーレンズのピッチが簡単な整数比にならないように設計すれば、モアレの強度は実用上問題とはならない水準となる。
　【００５２】たとえば、画面サイズが水平方向８００ｍｍ、垂直方向６００ｍｍ、透過型スクリーンのスクリーン画面水平方向のピッチが０．７８ｍｍのとき、その画面に４５０本の水平方向走査線が表示されるものとすると、走査線のピッチは１．３３ｍｍであるが、フレネル凸レンズの輪帯ピッチを０．１０５ｍｍ、第四のレンチキュラーレンズのピッチを０．０９１ｍｍ程度に選べば、モアレは非常に目立ちにくくなる。
　【００５３】さて、この光吸収シート４の光入射面４１の第四のレンチキュラーレンズは、図９に示した従来の透過型スクリーン１におけるフレネルレンズシート２の光入射面２１に設けられた第一のレンチキュラーレンズに代わるものである。従来の透過型スクリーン１におけるフレネルレンズシート２においては、スクリーン画面垂直方向の指向特性を拡大するために第一のレンチキュラーレンズの曲率半径を小さくすると、前述のようにフォーカス特性が低下した。
　【００５４】これに対し、本実施例において、スクリーン画面垂直方向の指向特性を拡大するために、第四のレンチキュラーレンズの曲率半径を小さくしても、フォーカス特性は低下することがない。
　【００５５】これは、図４に示すレンチキュラーレンズシート３の光入射面３１の楕円柱面の焦点Ｆ２が光出射面３２付近に存在し、光吸収シート４の光入射面４１に近接していることによっている。即ち、本実施例では、入射光束１４のスクリーン画面水平方向の拡散の開始点とスクリーン画面垂直方向の拡散の開始点とを近接させているので、フォーカス特性が低下することがないのである。
　【００５６】具体的には、図５に示すように、入射光束１４は、レンチキュラーレンズシート３の光出射面３２付近の焦点Ｆ２においてスクリーン画面水平方向に拡散されたのち、ただちに光吸収シート４の第四のレンチキュラーレンズ４においてスクリーン画面垂直方向に拡散されるので、画像観視側から見たときの光束の幅ｄは、図１０に示した従来の透過型スクリーンによる光束の幅ｄより小さくなり、画像がぼやけることがない。
　【００５７】一方、光吸収シート４は、投写画像光より外光を多く吸収する機能をも有している。これは、画像発生源から観視者に至る投写画像光は、光吸収シート４を１回だけ透過するため、光量が光吸収シート４の透過率に比例して減衰するのに対し、照明光などの外光が透過型スクリーン１で反射されて観視者に至るときは、光吸収シート４の最も画像観視側の光出射面４２で反射される光を除き、その外光の大部分は光吸収シート４を少なくとも１往復通るため、光量が光吸収シート４の透過率の２乗に比例して減衰することに基づいている。これにより、投写画像光より外光の方が損失光の比率が大きくなり、照明光などの外光があるときのコントラストが向上する効果がある。
　【００５８】さて、本実施例では、図４に示すように、レンチキュラーレンズシート３の光入射面３１の第二のレンチキュラーレンズ面３１しの楕円柱面の、２焦点のうち１焦点Ｆ２が光出射面３２付近に位置するように構成されていることから、レンチキュラーレンズシート３のシート厚さに制限がある。これは、図９に示した従来の透過型スクリーンのレンチキュラーレンズシート３においても同様である。
　【００５９】したがって、従来の透過型スクリーンにおいては、透過型スクリーン１全体としての機械的強度を確保するために、フレネルレンズシート２のシート厚さをレンチキュラーレンズシート３のシート厚さより厚くすることが一般に行われていた。
　【００６０】これに対し、本実施例では、図５に示すように、フレネルレンズシート２のシート厚さをレンチキュラーレンズシート３のシート厚さと同程度とする一方、光吸収シート４のシート厚さを最も厚くして、透過型スクリーン１全体としての機械的強度を確保するようにした。
　【００６１】この様に、本実施例では、フレネルレンズシート２のシート厚さをレンチキュラーレンズシート３のシート厚さと同程度としているので、フレネルレンズシート２の光出射面２２のフレネルレンズにおける、投写画像光の不要反射に起因するゴーストが目立たなくなる。以下、これについて説明する。
　【００６２】図６は従来の透過型スクリーンまたは図１の透過型スクリーンにおけるフレネルレンズシート２の垂直断面を示す断面図であり、図６（ａ）は図９に示す従来の透過型スクリーン１のフレネルレンズシート２、図６（ｂ）は図１に示す本実施例のフレネルレンズシート２である。
　【００６３】一般に、フレネルレンズシート２では、入射光束１４の大部分は出射光束１５となるが、一部の光は光出射面２２で反射され、さらに光入射面２１で再度一部反射され、また光出射面２２へ至ってゴースト光束１６となる。
　【００６４】ここで、このとき、図６（ａ）の従来の透過型スクリーンにおけるフレネルンンズシート２では、シート厚さが厚いため、本来の画像の位置とゴーストの位置との距離Ｒがかなり大きくなり、ゴーストが非常に目立つ。これに対し、図６（ｂ）の本実施例におけるフレネルレンズシート２では、シート厚さが薄いため、本来の画像の位置とゴーストの位置とが近接し、距離Ｒが小さくなることから、ゴーストが目立たなくなる。
　【００６５】以上のように、本実施例においては、レンチキュラーレンズシート３の基材３０の中の光拡散材をなくし、光吸収シート４を新たに構成要素として加え、フレネルレンズシート２の光入射面２１のスクリーン画面水平方向を長手方向とする第一のレンチキュラーレンズをなくし、光吸収シート４の光入射面４１にスクリーン画面水平方向を長手方向とする第四のレンチキュラーレンズが設けたことから、画像のフォーカス特性及びコントラストを向上すると同時に、スクリーン画面垂直方向の指向特性を拡大できる効果がある。
　【００６６】なお、光吸収シート４については、画像観視側の光出射面４２の表面に防眩処理、帯電防止処理、ハードコーティングなどの表面硬化処理等の処理を施してもよい。防眩処理を行った場合は、画面への、画像観視側の物体、あるいは照明光などの映り込みを低減できる効果がある。帯電防止処理を行った場合には、光吸収シート４表面の帯電により塵埃が付着するのを防止できる効果がある。また、表面硬化処理をした場合は、画像観視側から何らかの物体が衝突しても光吸収シート４の表面に傷がつきにくくなる効果がある。
　【００６７】本実施例においては、レンチキュラーレンズシート３の光出射面３２に第三のレンチキュラーレンズとして、光入射面３１の第二のレンチキュラーレンズの楕円柱面とほぼ同等の形状のレンチキュラーレンズを設ける構成としたが、この第三のレンチキュラーレンズは必ずしも楕円柱面である必要はなく、たとえば単純な円柱面であっても、同等の効果が得られる。また、レンチキュラーレンズシート３の光出射面３２が単に平面で、前述の光吸収帯６のみが設けられている構成としてもよい。この場合、光出射面３２に第三のレンチキュラーレンズを設ける場合と比較すると、画像のカラーシフトはやや大きくなるが、そのほかの性能については同等の効果が得られる。
　【００６８】また、本実施例においては、フレネルレンズシート２、レンチキュラーレンズシート３、光吸収シート４のいずれも光拡散材を有しない構成としたが、レンチキュラーレンズシート３、または光吸収シート４のいずれか、あるいはこの両方に光拡散材をごく少量分散させ、光拡散を補助的に行わせてもよい。この場合、光拡散材による光拡散が補助的なものである限りは、スクリーン画面垂直方向の指向特性を拡大しても、画像のフォーカス特性及びコントラストは良好となり、光拡散材を有しない場合に近い効果が得られる。
　【００６９】次に、本発明の第二の実施例を図７により説明する。図７は本発明の第二の実施例としての透過型スクリーンの要部を示す斜視図であり、図１と同一部分には同一符号を付し、その説明を省略する。
　【００７０】本実施例と図１に示した第一の実施例との違いは、フレネルレンズシート２の光入射面２１が、第一の実施例においては図１に示したように平面であるのに対し、本実施例においては図７に示すようにスクリーン画面水平方向を長手方向とする第一のレンチキュラーレンズをスクリーン画面垂直方向に複数並べた形状になっている点にある。
　【００７１】本実施例においては、スクリーン画面垂直方向の光拡散は、主として光吸収シート４の光入射面４１の第四のレンチキュラーレンズにより行い、補助として上記の第一のレンチキュラーレンズにより行う構成とする。また、レンチキュラーレンズシート３は、光拡散材をほとんど有しない構成とする。
　【００７２】このとき、画像のフォーカス特性は、第一の実施例に比較して若干低下するが、従来の透過型スクリーンに比較すると、フレネルレンズシート２のシート厚さが薄いことから向上する。したがって、本実施例においても、画像のフォーカス特性及びコントラストを向上すると同時に、スクリーン画面垂直方向の指向特性を拡大できる効果がある。
　【００７３】次に、本発明の第三の実施例を図８により説明する。図８は本発明の第三の実施例としての透過型スクリーンの要部を示す斜視図であり、図１と同一部分には同一符号を付し、その説明を省略する。
　【００７４】本実施例と図７に示した第二の実施例との違いは、光吸収シート４の光入射面４１が、第二の実施例においては図７に示したように第四のレンチキュラーレンズとなっているのに対し、本実施例においては図８に示すように平面となっている点にある。本実施例においては、レンチキュラーレンズシート３は、第二の実施例と同様に、光拡散材をほとんど有しない構成とする。
　【００７５】このとき、画像のフォーカス特性は、第二の実施例よりさらに若干低下する。しかしながら、従来の透過型スクリーンに比較すると、フレネルレンズシートのシート厚さが薄く、また、光拡散材がないことから、実用上問題ない水準である。したがって、本実施例においても、画像のフォーカス特性及びコントラストを向上すると同時に、スクリーン画面垂直方向の指向特性を拡大できる効果がある。
　【００７６】
　【発明の効果】以上の説明から明らかなように、本発明によれば、投写型ブラウン管などの画像発生源からの投写画像光は、投写レンズを経て、透過型スクリーンに入射し、スクリーン画面水平方向にはレンチキュラーレンズシートの光入射面の第二のレンチキュラーレンズにより拡散され、また、スクリーン画面垂直方向には主としてフレネルレンズシートの光入射面の第一のレンチキュラーレンズ、または光吸収シートの光入射面の第四のレンチキュラーレンズ、もしくはこの両者により拡散される。このため、スクリーン画面垂直方向の指向特性の拡大のためには第一または第四のレンチキュラーレンズの曲率半径を小さくすればよい。
　【００７７】したがって、レンチキュラーレンズシートの光拡散材は減量でき、投写光学系内の不要反射光が低減されるので、画像のコントラストを向上させると同時に、スクリーン画面垂直方向の指向特性を拡大できる効果がある。また、照明光などの外光に対しても、光拡散材の減量により拡散反射光が減ることから、画像のコントラストが向上する効果がある。
　【００７８】さらに、本発明においては、光吸収シートを画像観視側に配する構成とし、上記光吸収シートを、例えば着色することにより、その光吸収シート内部を通過して光出射面から出射する光の光量を減衰させるように構成したので、照明光などの外光があるとき、投写画像光より外光の方が損失光の比率が大きくなり、コントラストがさらに向上する効果がある。
　【００７９】また、本発明において、フレネルレンズシート、レンチキュラーレンズシート、光吸収シートのうち、光吸収シートを最もシート厚さを厚くし、フレネルレンズシートのシート厚さを従来の透過型スクリーンにおけるフレネルレンズシートより薄くすくしたとすれば、フレネルレンズシートの光出射面のフレネルレンズにおける投写画像光の不要反射に起因するゴーストが目立たなくでき、さらに、フレネルレンズシートの光入射面に第一のレンチキュラーレンズを設ける場合においても良好な画像のフォーカスが得られる効果がある。
　【００８０】また、スクリーン画面垂直方向の光拡散を、光吸収シートの光入射面の第四のレンチキュラーレンズによってのみ行う場合には、スクリーン画面垂直方向の指向特性を拡大しても良好な画像のフォーカスが得られる効果がある。
　【００８１】また、光吸収シートの光出射面の表面処理として、防眩処理を行ったときは、画像観視側の物体や照明光などのスクリーン画面への映り込みを防止できる効果がある。また、同じく帯電防止処理を行ったときは、光吸収シート表面の帯電により塵埃が付着するのを防止できる効果がある。さらに、ハードコーティング処理などの表面硬化処理を施したときは、画像観視側から何らかの物体が衝突しても光吸収シートの表面に傷がつきにくくなる効果がある。
【図面の簡単な説明】
　【図１】本発明の第一の実施例としての透過型スクリーンの要部を示す斜視図である。
　【図２】図１の透過型スクリーンを用いた背面投写型画像ディスプレイ装置の要部を示す新面図である。
　【図３】図２の背面投写型画像ディスプレイ装置の投写光学系を水平面上に展開したときの概略展開図である。
　【図４】図１の透過型スクリーンにおけるレンチキュラーレンズシートの水平断面を示す断面図である。
　【図５】図１の透過型スクリーンの垂直断面を示す断面図である。
　【図６】従来の透過型スクリーンまたは図１の透過型スクリーンにおけるフレネルレンズシート２の垂直断面を示す断面図である。
　【図７】本発明の第二の実施例としての透過型スクリーンの要部を示す斜視図である。
　【図８】本発明の第三の実施例としての透過型スクリーンの要部を示す斜視図である。
　【図９】従来技術による透過型スクリーンの要部を示す斜視図である。
　【図１０】図９の透過型スクリーンの垂直断面を示す断面図である。
　【図１１】図９の透過型スクリーンにおけるレンチキュラーレンズシートの断面を示す断面図である。
　【符号の説明】
　１…透過型スクリーン、２…フレネルレンズシート、３…レンチキュラーレンズシート、４…光吸収シート、５…光拡散材、６…光吸収帯、７Ｒ，７Ｇ，７Ｂ…投写型ブラウン管、８Ｒ，８Ｇ，８Ｂ…投写レンズ、９Ｇ…結合器、１１…反射鏡、１２…筐体、２０，３０，４０…基材、２１，３１，４１…光入射面、２２，３２，４２…光出射面、３３…凸形突起部。